(57)【要約】【課題】  新ファイルサーバをネットワークに導入する際の管理者の労力を軽減することが可能なファイルサーバおよびファイルサーバ設定支援方法を提供する。【解決手段】  環境分析部１４は、仮サーバ設定情報が動作環境設定部１２ａに設定されると、既存のファイルサーバ９１の設定情報とネットワーク９０上の認証サーバの存在の有無とを調査し、その調査結果に基づきファイルサーバ１の設定情報を生成し、その生成したファイルサーバ１の設定情報をサーバ情報格納部１５に格納する。環境分析部１４は、ファイルサーバ１の設定情報をサーバ情報格納部１５へ格納し終わると、その旨を制御部１２ｂに通知する。制御部１２ｂは、サーバ情報格納部１５への設定情報の格納が完了した時点で、サーバ情報格納部１５に格納されたファイルサーバ１の設定情報を動作環境設定部１２ａに設定する。【選択図】      図１
2006011952.tif 000002
【特許請求の範囲】
【請求項１】
ネットワーク環境に基づいて自らの設定情報を生成するファイルサーバであって、
ファイルサーバの設定情報を設定可能な動作環境設定部と、
前記動作環境設定部に設定された設定情報に基づいて動作する通信部と、
前記通信部をネットワークに接続する旨の仮サーバ設定情報を格納する仮サーバ情報格納部と、
前記仮サーバ設定情報を、前記ファイルサーバの設定情報として、前記動作環境設定部に設定する制御部と、
前記制御部が前記仮サーバ設定情報を前記動作環境設定部に設定すると、前記通信部を介して、前記ネットワークのネットワーク環境を調査し、その調査結果に基づいて前記自らの設定情報を生成する環境分析部と、
前記環境分析部が生成した自らの設定情報を格納するサーバ情報格納部と、を含み、
前記制御部は、前記サーバ情報格納部に格納された自らの設定情報を、前記ファイルサーバの設定情報として、前記仮サーバ設定情報に替えて、前記動作環境設定部に設定する、ファイルサーバ。
【請求項２】
請求項１に記載のファイルサーバにおいて、
前記環境分析部は、前記通信部を介して、前記ネットワーク上の既存のファイルサーバの設定情報を調査し、調査した既存のファイルサーバの設定情報に基づいて前記自らの設定情報を生成する、ファイルサーバ。
【請求項３】
請求項２に記載のファイルサーバにおいて、
前記環境分析部は、前記通信部を介して、前記ネットワーク上の複数の既存のファイルサーバの設定情報を調査し、調査した複数の既存のファイルサーバの設定情報に基づいて前記自らの設定情報を生成する、ファイルサーバ。
【請求項４】
請求項２または３に記載のファイルサーバにおいて、
前記制御部が前記仮サーバ設定情報を前記動作環境設定部に設定すると、前記通信部を介して、前記既存のファイルサーバが格納しているデータを取り込むデータ移行部と、
前記データ移行部が取り込んだデータを格納するデータ格納部と、をさらに含むファイルサーバ。
【請求項５】
請求項１ないし４のいずれか１項に記載のファイルサーバにおいて、
前記環境分析部は、前記通信部を介して、前記ネットワーク上の認証サーバの存在の有無を調査し、該認証サーバ有無に基づいて前記自らの設定情報を生成する、ファイルサーバ。
【請求項６】
ネットワーク環境に基づいて自らの設定情報を生成するファイルサーバが行うファイルサーバ設定支援方法であって、
前記ファイルサーバは、ファイルサーバの設定情報を設定可能な動作環境設定部と、前記動作環境設定部に設定された設定情報に基づいて動作する通信部とを含み、
前記通信部をネットワークに接続する旨の仮サーバ設定情報を、前記ファイルサーバの設定情報として、前記動作環境設定部に設定する第１設定ステップと、
前記第１設定ステップで前記仮サーバ設定情報を前記動作環境設定部に設定すると、前記通信部を介して、前記ネットワークのネットワーク環境を調査し、その調査結果に基づいて前記自らの設定情報を生成する設定情報生成ステップと、
前記設定情報生成ステップで生成した自らの設定情報を、前記ファイルサーバの設定情報として、前記仮サーバ設定情報に替えて、前記動作環境設定部に設定する第２設定ステップと、を含むファイルサーバ設定支援方法。
【請求項７】
請求項６に記載のファイルサーバ設定支援方法において、
前記設定情報生成ステップは、前記通信部を介して、前記ネットワーク上の既存のファイルサーバの設定情報を調査し、調査した既存のファイルサーバの設定情報に基づいて前記自らの設定情報を生成する、ファイルサーバ設定支援方法。
【請求項８】
請求項７に記載のファイルサーバ設定支援方法において、
前記設定情報生成ステップは、前記通信部を介して、前記ネットワーク上の複数の既存のファイルサーバの設定情報を調査し、調査した複数の既存のファイルサーバの設定情報に基づいて前記自らの設定情報を生成する、ファイルサーバ設定支援方法。
【請求項９】
請求項７または８に記載のファイルサーバ設定支援方法において、
前記第１設定ステップで前記仮サーバ設定情報を前記動作環境設定部に設定すると、前記通信部を介して、前記既存のファイルサーバが格納しているデータを取り込むデータ移行ステップと、
前記データ移行ステップで取り込んだデータをデータ格納部に格納する格納ステップと、をさらに含むファイルサーバ設定支援方法。
【請求項１０】
請求項６ないし９のいずれか１項に記載のファイルサーバ設定支援方法において、
前記設定情報生成ステップは、前記通信部を介して、前記ネットワーク上の認証サーバの存在の有無を調査し、該認証サーバ有無に基づいて前記自らの設定情報を生成する、ファイルサーバ設定支援方法。
【発明の詳細な説明】
【技術分野】
【０００１】
本発明は、ファイルサーバおよびファイルサーバ設定支援方法に関し、特には、ネットワークに導入されるファイルサーバおよびネットワークに導入されるファイルサーバの設定支援方法に関する。
【背景技術】
【０００２】
従来、ネットワーク上で電子情報を管理するファイルサーバが知られている。
【０００３】
ファイルサーバがネットワーク上で動作するためには、種々の情報がファイルサーバに設定されなければならない。ファイルサーバに設定される種々の情報（以下「設定情報」と称する）は、例えば、ネットワークと接続するために必要となるネットワーク関係の基本情報（例えば、ファイルサーバのＩＰアドレス、ファイルサーバの名称および認証サーバの有無）と、ファイルサーバの仕様（リソースの数、その名称およびその容量）に応じた仕様情報とを含む。設定情報をファイルサーバに設定する作業は、例えば、ネットワークに関する専門的な知識を有する管理者によって行われていた。
【０００４】
なお、ネットワーク設置機器では、例えば、ＤＨＣＰおよびディレクトリ等の技術により、設定の集中管理が進んでおり、個々の機器に対する設定項目は減少してきているが、ファイルサーバはその恩恵にあずかっていない。
【０００５】
特許文献１（特開平６−１１０６６３号公報）および特許文献２（特開平８−３０５３１号公報）には、管理者が設定した設定情報をファイルサーバに設定するネットワーク情報設定システムが記載されている。
【０００６】
具体的には、管理者に設定情報を入力させるＧＵＩ部と、ＧＵＩ部に入力された設定情報を格納するパラメータファイル部と、パラメータファイル部に格納された設定情報を自動的にファイルサーバに設定する自動実行部とを含むネットワーク情報設定システムが記載されている。
【特許文献１】特開平６−１１０６６３号公報
【特許文献２】特開平８−３０５３１号公報
【発明の開示】
【発明が解決しようとする課題】
【０００７】
管理者は、例えば、ネットワークに接続された旧ファイルサーバを新ファイルサーバに交換する場合、以下のような煩雑な作業を行わなければならなかった。
【０００８】
管理者は、旧ファイルサーバに格納されているデータを新ファイルサーバに移行した後、旧ファイルサーバを停止する。
【０００９】
その後、管理者は、旧ファイルサーバの設定情報（ネットワーク関係の基本情報および仕様情報）と、旧ファイルサーバが接続されていたネットワークの情報（例えば、旧ファイルサーバにアクセスするコンピュータを認証する認証サーバのＩＰアドレス）とを入手する。
【００１０】
その後、管理者は、その入手した情報に基づいて新ファイルサーバの設定情報を決定し、その決定した設定情報を新ファイルサーバに設定し、新ファイルサーバを起動する。
【００１１】
特に、新ファイルサーバと旧ファイルサーバとの設定の要領または運用の要領が異なる場合、管理者は、新ファイルサーバの新たな設定要領を理解したうえで、新ファイルサーバの設定を行う必要があった。
【００１２】
また、複数の既設置ファイルサーバを１台の新ファイルサーバに統合するような場合には、管理者は、複数の既設置ファイルサーバの設定情報を入手し、複数の既設置ファイルサーバが接続されていたネットワークの情報を入手し、入手したそれらの情報から新ファイルサーバの設定情報を決定し、その決定した設定情報を新ファイルサーバに設定するという極めて複雑な作業を行わなければならなかった。このため、複数の既設置ファイルサーバを１台の新ファイルサーバに統合するような場合、新ファイルサーバの設定ミスによる移行トラブルなどが発生しやすかった。
【００１３】
また、ファイルサーバが接続されていないネットワークに新ファイルサーバを導入する場合、管理者は、ネットワークの情報（例えば、ネットワークにアクセスするコンピュータを認証する認証サーバの有無を示す認証サーバ有無情報）を入手し、その入手した情報に基づいて、新ファイルサーバの設定情報を決定し、その決定した設定情報を新ファイルサーバに設定した後、新ファイルサーバを起動するという煩雑な手順を行っていた。
【００１４】
特許文献１および特許文献２に記載のシステムでは、自動実行部がパラメータファイル部に格納された設定情報を自動的にファイルサーバに設定するため、管理者がすべての設定処理を行う場合に比べて、管理者の負担は軽減される。
【００１５】
しかしながら、ＧＵＩ部に入力された設定情報がパラメータファイル部に格納されるため、管理者はＧＵＩ部にすべての設定情報を入力しなければならない。このため、管理者は、旧ファイルサーバの設定情報またはネットワークの情報を入手する作業と、その入手した情報に基づいて設定情報を決定する作業と、その決定した設定情報をＧＵＩ部に入力する作業とを行わなければならなかった。
【００１６】
本発明の目的は、新ファイルサーバをネットワークに導入する際の管理者の労力を軽減することが可能なファイルサーバおよびファイルサーバ設定支援方法を提供することである。
【課題を解決するための手段】
【００１７】
上記の目的を達成するため、本発明のファイルサーバは、ネットワーク環境に基づいて自らの設定情報を生成するファイルサーバであって、ファイルサーバの設定情報を設定可能な動作環境設定部と、前記動作環境設定部に設定された設定情報に基づいて動作する通信部と、前記通信部をネットワークに接続する旨の仮サーバ設定情報を格納する仮サーバ情報格納部と、前記仮サーバ設定情報を、前記ファイルサーバの設定情報として、前記動作環境設定部に設定する制御部と、前記制御部が前記仮サーバ設定情報を前記動作環境設定部に設定すると、前記通信部を介して、前記ネットワークのネットワーク環境を調査し、その調査結果に基づいて前記自らの設定情報を生成する環境分析部と、前記環境分析部が生成した自らの設定情報を格納するサーバ情報格納部とを含み、前記制御部は、前記サーバ情報格納部に格納された自らの設定情報を、前記ファイルサーバの設定情報として、前記仮サーバ設定情報に替えて、前記動作環境設定部に設定する。
【００１８】
また、本発明のファイルサーバ設定支援方法は、ネットワーク環境に基づいて自らの設定情報を生成するファイルサーバが行うファイルサーバ設定支援方法であって、前記ファイルサーバは、ファイルサーバの設定情報を設定可能な動作環境設定部と、前記動作環境設定部に設定された設定情報に基づいて動作する通信部とを含み、前記通信部をネットワークに接続する旨の仮サーバ設定情報を、前記ファイルサーバの設定情報として、前記動作環境設定部に設定する第１設定ステップと、前記第１設定ステップで前記仮サーバ設定情報を前記動作環境設定部に設定すると、前記通信部を介して、前記ネットワークのネットワーク環境を調査し、その調査結果に基づいて前記自らの設定情報を生成する設定情報生成ステップと、前記設定情報生成ステップで生成した自らの設定情報を、前記ファイルサーバの設定情報として、前記仮サーバ設定情報に替えて、前記動作環境設定部に設定する第２設定ステップとを含む。
【００１９】
上記の発明によれば、仮サーバ設定情報が動作環境設定部に設定されると、ネットワーク環境が調査され、その調査結果に基づいて自らの設定情報が生成され、その自らの設定情報が動作環境設定部に設定される。このため、管理者が、ネットワーク環境を調査し、その調査結果に基づいて設定情報を決定するという作業を行わなくて済む可能性が高くなる。よって、新ファイルサーバをネットワークに導入する際の管理者の労力を軽減することが可能になる。
【００２０】
また、ネットワーク環境に応じたファイルサーバの設定情報が、設定情報の初期値として、ファイルサーバに自動的に設定されるため、例えば、管理者がファイルサーバの仕様のみを変更する場合、管理者は、初期値として与えられている設定情報の中の、ネットワーク環境に応じた部分は変更せずに、仕様に応じた部分のみを変更すればよくなる。このため、管理者がファイルサーバの設定情報が何もない状態からファイルサーバの設定情報を新規に設定する場合に比べて、設定情報の設定に要する管理者の労力は軽減される。
【００２１】
また、上記ファイルサーバにおいて、前記環境分析部は、前記通信部を介して、前記ネットワーク上の既存のファイルサーバの設定情報を調査し、調査した既存のファイルサーバの設定情報に基づいて前記自らの設定情報を生成することが望ましい。
【００２２】
また、上記ファイルサーバ設定支援方法において、前記設定情報生成ステップは、前記通信部を介して、前記ネットワーク上の既存のファイルサーバの設定情報を調査し、調査した既存のファイルサーバの設定情報に基づいて前記自らの設定情報を生成することが望ましい。
【００２３】
上記の発明によれば、既存のファイルサーバの設定情報が調査され、その調査された既存のファイルサーバの設定情報に基づいて自らの設定情報が生成される。このため、既存のファイルサーバが存在するネットワークに新たなファイルサーバを導入する場合、新たに導入するファイルサーバの設定情報の初期値として、既存のファイルサーバの設定情報を用いることが可能になる。
【００２４】
したがって、管理者は、新たに導入するファイルサーバの設定情報の初期値の中で、既存のファイルサーバの設定情報と異なる部分だけ変更すればよく、管理者がファイルサーバの設定情報が何もない状態からファイルサーバの設定情報を新規に設定する場合に比べて、設定情報の設定に要する管理者の労力は軽減される。
【００２５】
また、上記ファイルサーバにおいて、前記環境分析部は、前記通信部を介して、前記ネットワーク上の複数の既存のファイルサーバの設定情報を調査し、調査した複数の既存のファイルサーバの設定情報に基づいて前記自らの設定情報を生成することが望ましい。
【００２６】
また、上記ファイルサーバ設定支援方法において、前記設定情報生成ステップは、前記通信部を介して、前記ネットワーク上の複数の既存のファイルサーバの設定情報を調査し、調査した複数の既存のファイルサーバの設定情報に基づいて前記自らの設定情報を生成することが望ましい。
【００２７】
上記の発明によれば、複数の既存のファイルサーバが存在するネットワークに新たなファイルサーバを導入する場合、新たに導入するファイルサーバの設定情報の初期値として、複数の既存のファイルサーバの設定情報を用いることが可能になる。したがって、例えば、複数の既存のファイルサーバを統合するファイルサーバを新たに導入する場合、新たに導入するファイルサーバの設定情報をその初期値とすることが可能となる。このため、管理者が、ネットワーク環境を調査し、その調査結果に基づいて設定情報を決定するという作業を行わなくて済み、新ファイルサーバをネットワークに導入する際の管理者の労力を軽減することが可能になる。
【００２８】
また、上記ファイルサーバにおいて、前記制御部が前記仮サーバ設定情報を前記動作環境設定部に設定すると、前記通信部を介して、前記既存のファイルサーバが格納しているデータを取り込むデータ移行部と、前記データ移行部が取り込んだデータを格納するデータ格納部と、をさらに含むことが望ましい。
【００２９】
また、上記ファイルサーバ設定支援方法において、前記第１設定ステップで前記仮サーバ設定情報を前記動作環境設定部に設定すると、前記通信部を介して、前記既存のファイルサーバが格納しているデータを取り込むデータ移行ステップと、前記データ移行ステップで取り込んだデータをデータ格納部に格納する格納ステップと、をさらに含むことが望ましい。
【００３０】
上記の発明によれば、既存のファイルサーバが格納しているデータを取り込み、その取り込んだデータをデータ格納部に格納するため、既存のファイルサーバに格納されているデータを新たなファイルサーバに自動的に移行することが可能となる。
【００３１】
また、上記ファイルサーバにおいて、前記環境分析部は、前記通信部を介して、前記ネットワーク上の認証サーバの存在の有無を調査し、該認証サーバ有無に基づいて前記自らの設定情報を生成することが望ましい。
【００３２】
また、上記ファイルサーバ設定支援方法において、前記設定情報生成ステップは、前記通信部を介して、前記ネットワーク上の認証サーバの存在の有無を調査し、該認証サーバ有無に基づいて前記自らの設定情報を生成することが望ましい。
【００３３】
上記の発明によれば、認証サーバの有無が自動的に確認され、認証サーバ有無に基づいて自らの設定情報が生成されるため、認証サーバの有無に応じて設定情報を生成することが可能となる。
【発明の効果】
【００３４】
本発明によれば、仮サーバ設定情報が動作環境設定部に設定されると、ネットワーク環境が調査され、その調査結果に基づいて自らの設定情報が生成され、その自らの設定情報が動作環境設定部に設定される。このため、管理者が、ネットワーク環境を調査し、その調査結果に基づいて設定情報を決定するという作業を行わなくて済む可能性が高くなる。よって、新ファイルサーバをネットワークに導入する際の管理者の労力を軽減することが可能になる。
【００３５】
また、ネットワーク環境に応じたファイルサーバの設定情報が、設定情報の初期値として、ファイルサーバに自動的に設定されるため、例えば、管理者がファイルサーバの仕様のみを変更する場合、管理者は、初期値として与えられている設定情報の中の、ネットワーク環境に応じた部分は変更せずに、仕様に応じた部分のみを変更すればよくなる。このため、管理者がファイルサーバの設定情報が何もない状態からファイルサーバの設定情報を新規に設定する場合に比べて、設定情報の設定に要する管理者の労力は軽減される。
【発明を実施するための最良の形態】
【００３６】
以下、本発明の実施例を図面を参照して説明する。
【００３７】
図１は、本発明の一実施例のファイルサーバを示したブロック図である。
【００３８】
図１において、ファイルサーバ１は、通信部１１と、動作環境設定手段１２と、仮サーバ情報格納部１３と、環境分析部１４と、サーバ情報格納部１５と、データ移行部１６と、データ格納部１７とを含む。動作環境設定手段１２は、動作環境設定部１２ａと制御部１２ｂとを含む。
【００３９】
ファイルサーバ１は、ネットワーク９０に接続される。ネットワーク９０には、既存ファイルサーバ９１と認証サーバ９２とが接続されている。認証サーバ９２は、既存ファイルサーバ９１にアクセスするコンピュータを認証する。
【００４０】
制御部１２ｂは、メモリ等の動作環境設定部１２ａに設定情報を設定する。具体的には、制御部１２ｂは、動作環境設定部１２ａに、仮サーバ情報格納部１３に格納された仮サーバ設定情報とサーバ情報格納部１５に格納されたファイルサーバ１の設定情報とを択一的に設定する。
【００４１】
通信部１１は、動作環境設定部１２ａに設定された設定情報に基づき、ネットワーク９０と接続してネットワーク９０に接続されたネットワーク設置機器と通信する。なお、本実施例では、既存ファイルサーバ９１と認証サーバ９２とがネットワーク設置機器である。
【００４２】
仮サーバ情報格納部１３は、通信部１１をネットワーク９０に接続する旨の仮サーバ設定情報を格納する。仮サーバ設定情報は、ファイルサーバ１（具体的には通信部１１）が既存ファイルサーバ９１および認証サーバ９２と通信を行うために必要な設定情報である。例えば、仮サーバ設定情報は、ファイルサーバ１が既存ファイルサーバ９１のクライアントとして動作するために必要となる設定情報である。なお、仮サーバ設定情報は、管理者によって、入力部（不図示）から入力される。
【００４３】
環境分析部１４は、制御部１２ｂが仮サーバ情報格納部１３に格納された仮サーバ設定情報を動作環境設定部１２ａに設定すると、通信部１１を介して、通信部１１と接続するネットワーク９０のネットワーク環境を調査する。環境分析部１４は、その調査結果に基づいてファイルサーバ１の設定情報を生成する。
【００４４】
例えば、環境分析部１４は、通信部１１を介して、既存のファイルサーバ９１の設定情報を調査し、その調査結果となる既存のファイルサーバ９１の設定情報を設定情報（ファイルサーバ１の設定情報）１５ａとする。
【００４５】
また、環境分析部１４は、通信部１１を介して、ネットワーク９０上の認証サーバの有無を調査し、その調査結果（認証サーバの有無）を認証サーバ情報（ファイルサーバ１の設定情報）１５ｂとする。なお、環境分析部１４は、調査の結果、認証サーバの存在を認識すると、その認証サーバの情報（例えば、ＩＰアドレス）を調査し、その調査結果を認証サーバ情報１５ｂに追加する。
【００４６】
サーバ情報格納部１５は、環境分析部１４が生成した設定情報１５ａおよび認証サーバ情報１５ｂとを、ファイルサーバ１の設定情報として格納する。サーバ情報格納部１５に格納されたファイルサーバ１の設定情報は、制御部１２ｂによって、動作環境設定部１２ａに設定される。このとき、制御部１２ｂは、動作環境設定部１２ａから仮サーバ設定情報を削除する。
【００４７】
データ移行部１６は、制御部１２ｂが仮サーバ設定情報を動作環境設定部１２ａに設定すると、通信部１１を介して、既存のファイルサーバ９１が格納しているデータを取り込む。データ格納部１７は、データ移行部１６が取り込んだデータを格納する。
【００４８】
次に、動作を説明する。
【００４９】
以下では、ネットワーク９０に接続された既存ファイルサーバ（旧ファイルサーバ）９１をファイルサーバ１（新ファイルサーバ）に交換する場合の動作を説明する。
【００５０】
管理者は、入力部（不図示）を操作して、仮サーバ設定情報を仮サーバ情報格納部１３に格納する。なお、仮サーバ設定情報としては、ファイルサーバ１が既存ファイルサーバ９１のクライアントとして動作するために最低限必要となる設定情報が用いられることが望ましい。
【００５１】
制御部１２ｂは、動作環境設定部１２ａに、仮サーバ情報格納部１３に格納された仮サーバ設定情報を設定する。制御部１２ｂは、動作環境設定部１２ａに仮サーバ設定情報を設定すると、その旨を環境分析部１４とデータ移行部１６とに通知する。
【００５２】
通信部１１は、仮サーバ設定情報に基づいてネットワーク９０と接続する。
【００５３】
環境分析部１４は、制御部１２ｂが仮サーバ設定情報を動作環境設定部１２ａに設定した旨の通知を受けると、通信部１１を介して、既存のファイルサーバ９１の設定情報と、ネットワーク９０上の認証サーバの存在の有無とを調査する。
【００５４】
環境分析部１４は、調査した既存のファイルサーバ９１の設定情報と認証サーバの有無とに基づいて、ファイルサーバ１の設定情報を生成する。具体的には、環境分析部１４は、ファイルサーバ１の設定情報として、既存のファイルサーバ９１の設定情報を示す設定情報１５ａと、認証サーバの有無を示す認証サーバ情報１５ｂとを生成する。
【００５５】
なお、環境分析部１４は、調査の結果、認証サーバの存在を認識すると、その認証サーバの情報（例えば、ＩＰアドレス）を調査し、その調査結果を認証サーバ情報１５ｂに追加する。
【００５６】
環境分析部１４は、その生成したファイルサーバ１の設定情報をサーバ情報格納部１５に格納する。環境分析部１４は、ファイルサーバ１の設定情報をサーバ情報格納部１５へ格納し終わると、その旨を制御部１２ｂに通知する。
【００５７】
なお、環境分析部１４が調査する既存のファイルサーバ９１の設定情報は、例えば、既存ファイルサーバ９１のアドレスおよび名称などの既存ファイルサーバ９１のネットワーク関係の基本情報と、ファイルサーバとして提供しているリソースの個数とその名称と、ファイルサーバとして提供しているリソースの容量である。
【００５８】
ファイルサーバ１、具体的には環境分析部１４は、既存のファイルサーバ９１の設定情報に基づいて、ファイルサーバ１が既存ファイルサーバ９１の代わりに動作するために必要となる情報、例えば、データ格納部１７に確保しなければならない最小リソース量およびネットワーク関係の基本設定を知ることができる。
【００５９】
データ移行部１６は、制御部１２ｂが仮サーバ設定情報を動作環境設定部１２ａに設定した旨の通知を受けると、通信部１１を介して、既存のファイルサーバ９１が格納しているデータを取り込み、その取り込んだデータをデータ格納部１７に複製（格納）する。データ移行部１６は、既存ファイルサーバ９１のデータをデータ格納部１７に格納し終わると、その旨を制御部１２ｂに通知する。
【００６０】
制御部１２ｂは、サーバ情報格納部１５への設定情報の格納とデータ格納部１７へのデータの複製が完了した時点で、サーバ情報格納部１５に格納されたファイルサーバ１の設定情報を、動作環境設定部１２ａに設定する。このとき、制御部１２ｂは、動作環境設定部１２ａから仮サーバ設定情報を削除する。
【００６１】
サーバ情報格納部１５に格納されたファイルサーバ１の設定情報が動作環境設定部１２ａに設定された状態で、ファイルサーバ１が管理者によって再起動されると、既存ファイルサーバ９１と同様の設定でファイルサーバ１が起動する。これにより、ファイルサーバ１は、既存ファイルサーバ９１の代替ファイルサーバとして動作する。
【００６２】
本実施例では、ファイルサーバ１を導入する際に、管理者が設定しなければ情報は、仮サーバ情報のみである。仮サーバ情報は、ファイルサーバ１が既存ファイルサーバ９１のクライアントとして動作するために必要となる情報なので、ファイルサーバ１の設定情報に比べて、極めて少量かつ簡単な情報に設定されることが可能となる。このため、仮サーバ情報の設定は、ファイルサーバ１の設定情報の設定に比べて容易となる。
【００６３】
また、必要ならば、ファイルサーバ１の設定情報に基づいた再起動の前に、動作環境設定部１２ａに設定された設定情報を、例えば、データ格納部１７内のリソース容量が拡大するように変更することも可能である。この設定情報の変更操作も、すでに既存ファイルサーバ９１から取り込んだ情報が既定値（初期値）として存在するので、何もないところから設定情報を新規に設定する場合に比べて、かなり容易な操作となる。
【００６４】
本実施例によれば、以下の効果を奏する。
【００６５】
第１の効果は、ファイルサーバの置換導入時の管理者の労力が大幅に削減されることである。
【００６６】
その理由は、新規ファイルサーバが、既存ファイルサーバの設定情報のようなネットワーク環境を調査し、その調査結果を自己の設定情報の既定値としているためである。例えば、新規ファイルサーバの設定を既存ファイルサーバと同じにする場合、管理者は、新規ファイルサーバをネットワークに接続し、新規ファイルサーバによる既存ファイルサーバの設定情報の調査が終わるのを待っていれば、新規ファイルサーバは自動的に既存のファイルサーバの代わりになる状態に設定される。
【００６７】
次に、他の実施例を説明する。
【００６８】
図２は、置換対象のファイルサーバが複数存在している場合のファイルサーバを示したブロック図である。なお、図２において、図１に示したものと同一のものには同一符号を付してある。
【００６９】
図２において、置換対象のファイルサーバとしての既存ファイルサーバ９１ａおよび既存ファイルサーバ９１ｂがネットワーク９００に接続されている。データ格納部１７は、置換対象のファイルサーバが２台存在するため、２つのデータ格納部、具体的には、第１データ格納部１７１と第２データ格納部１７２とを含む。
【００７０】
環境分析部１４は、制御部１２ｂが仮サーバ設定情報を動作環境設定部１２ａに設定した旨の通知を受けると、通信部１１を介して、既存のファイルサーバ９１ａの設定情報と、既存のファイルサーバ９１ｂの設定情報と、ネットワーク９０上の認証サーバの存在の有無を調査する。
【００７１】
環境分析部１４は、調査結果である既存のファイルサーバ９１ａの設定情報を第１設定情報１５１とし、調査結果である既存のファイルサーバ９１ｂの設定情報を第２設定情報１５２とし、調査結果である認証サーバの有無を認証サーバ情報１５ｂとする。
【００７２】
環境分析部１４は、第１設定情報１５１と第２設定情報１５２と認証サーバ情報１５ｂとを、ファイルサーバ１の設定情報として、サーバ情報格納部１５に格納する。環境分析部１４は、ファイルサーバ１の設定情報のサーバ情報格納部１５への格納が終了すると、その旨を制御部１２ｂに通知する。
【００７３】
データ移行部１６は、制御部１２ｂが仮サーバ設定情報を動作環境設定部１２ａに設定した旨の通知を受けると、通信部１１を介して、既存のファイルサーバ９１ａが格納しているデータを取り込み、その取り込んだデータを第１データ格納部１７１に複製（格納）する。
【００７４】
また、データ移行部１６は、制御部１２ｂが仮サーバ設定情報を動作環境設定部１２ａに設定した旨の通知を受けると、通信部１１を介して、既存のファイルサーバ９１ｂが格納しているデータを取り込み、その取り込んだデータを第２データ格納部１７２に複製（格納）する。
【００７５】
データ移行部１６は、既存ファイルサーバ９１ａのデータおよび既存ファイルサーバ９１ｂのデータのデータ格納部１７への格納が終了すると、その旨を制御部１２ｂに通知する。
【００７６】
制御部１２ｂは、サーバ情報格納部１５への設定情報の格納とデータ格納部１７へのデータの複製が完了した時点で、サーバ情報格納部１５に格納された、第１設定情報１５１と第２設定情報１５２と認証サーバ情報１５ｂとを、動作環境設定部１２ａに設定する。制御部１２ｂは、仮サーバ設定情報を動作環境設定部１２ａから削除する。
【００７７】
この状態で、ファイルサーバ１が再起動されると、既存ファイルサーバ９１ａと同様の設定を含み、かつ、既存ファイルサーバ９１ｂと同様の設定も含む設定で、ファイルサーバ１が起動する。これにより、ファイルサーバ１は、既存ファイルサーバ９１ａと既存ファイルサーバ９１ｂとを統合したファイルサーバとして動作する。
【００７８】
なお、通信部１１は、複数の設定情報、具体的には、第１設定情報１５１と第２設定情報１５２とを受け入れる。なお、複数の設定情報を受け入れる技術は、例えば、ＴＣＰ／ＩＰネットワークにおけるＩＰアドレスエイリアスまたはマルチホーミングなどと一般に呼ばれている複数アドレスの同時使用技術によって実現することが可能である。
【００７９】
上記の実施例によれば、異機種のファイルサーバの統合が容易になる。
【００８０】
次に、図１において、既存ファイルサーバ９１が接続されていないネットワーク９００に、新たなファイルサーバとして、ファイルサーバ１を導入する場合の動作を説明する。なお、以下では、ネットワーク９０に接続された既存ファイルサーバ９１をファイルサーバ１に交換する場合の動作と異なる点を中心に説明する。
【００８１】
環境分析部１４は、制御部１２ｂが仮サーバ設定情報を動作環境設定部１２ａに設定した旨の通知を受けると、通信部１１を介して、ネットワーク９０上の認証サーバの存在の有無を調査し、その調査結果を認証サーバ情報（ファイルサーバ１の設定情報）１５ｂを生成する。環境分析部１４は、その生成した認証サーバ情報をサーバ情報格納部１５に格納する。環境分析部１４は、ファイルサーバ１の設定情報のサーバ情報格納部１５への格納が終了すると、その旨を制御部１２ｂに通知する。
【００８２】
また、データ移行部１６は、既存ファイルサーバが存在しないので、データ移行の動作は行わなず、制御部１２ｂが仮サーバ設定情報を動作環境設定部１２ａに設定した旨の通知を受けると、データ格納が終了した旨の通知を制御部１２ｂに通知する。
【００８３】
この場合、管理者は、動作環境設定部１２ａに設定されたファイルサーバ１の設定情報の中で、認証サーバの有無と異なる部分を設定することになるが、認証サーバの有無を含めてファイルサーバ１の設定情報をすべて設定する場合に比べれば、管理者の負担は軽減される。
【００８４】
次に、図１において、既存ファイルサーバ９１を存続させながら、ネットワーク９００に新たなファイルサーバとしてファイルサーバ１を導入する場合の動作を説明する。この場合、ファイルサーバ１の動作は、ネットワーク９０に接続された既存ファイルサーバ９１をファイルサーバ１に交換する場合の動作と同じになる。
【００８５】
管理者は、動作環境設定部１２ａに設定されたファイルサーバ１の設定情報の中で、認証サーバの有無と異なる部分を設定することになるが、認証サーバの有無を含めてファイルサーバ１の設定情報をすべて設定する場合に比べれば、管理者の負担は軽減される。
【００８６】
以上説明した各実施例において、図示した構成は単なる一例であって、本発明はその構成に限定されるものではない。
【図面の簡単な説明】
【００８７】
【図１】本発明の一実施例のファイルサーバを示したブロック図である。
【図２】本発明の他の実施例のファイルサーバを示したブロック図である。
【符号の説明】
【００８８】
１        ファイルサーバ
１１      通信部
１２      動作環境設定手段
１２ａ    動作環境設定部
１２ｂ    制御部
１３      仮サーバ情報格納部
１４      環境分析部
１５      サーバ情報格納部
１５ａ    設定情報
１５ｂ    認証サーバ情報
１５１    第１設定情報
１５２    第２設定情報
１６      データ移行部
１７      データ格納部
１７１    第１データ格納部
１７２    第２データ格納部
９００    ネットワーク
９１      既存ファイルサーバ
９１ａ    既存ファイルサーバ
９１ｂ    既存ファイルサーバ
９２      認証サーバ
【図１】
2006011952.tif 000003
【図２】
2006011952.tif 000004